【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
ＣＵ（Ｃｅｎｔｒａｌ  Ｕｎｉｔ）に応用されるレイヤ２処理方法において、
チャネル再構築指示情報をＤＵ（Ｄｉｓｔｒｉｂｕｔｅｄ  Ｕｎｉｔ）に送信することと、
前記ＤＵから送信される応答メッセージを受信することと、
前記応答メッセージに基づき、ＲＲＣ（Ｒａｄｉｏ  Ｒｅｓｏｕｒｃｅ  Ｃｏｎｔｒｏｌ）再構成メッセージを生成することと、
前記ＲＲＣ再構成メッセージをＵＥ（Ｕｓｅｒ  Ｅｑｕｉｐｍｅｎｔ）に送信し、前記ＵＥによって対応な処理が行われることとを含む、レイヤ２処理方法。
【請求項２】
チャネル再構築指示情報をＤＵに送信することは、
前記ＤＵによるレイヤ２リセット処理、または、前記ＤＵによる同期再構成処理を指示するためのレイヤ２リセット指示情報または同期再構成指示情報を前記ＤＵに送信することを含む、請求項１に記載の方法。
【請求項３】
レイヤ２リセット指示情報または同期再構成指示情報を前記ＤＵに送信することは、
ＵＥコンテキスト修正メッセージの１つの指示ビットによって、前記レイヤ２リセット指示情報または同期再構成指示情報を前記ＤＵに送信すること、または、
ＵＥ移動指令メッセージによって、前記レイヤ２リセット指示情報または同期再構成指示情報を前記ＤＵに送信することを含む、請求項２に記載の方法。
【請求項４】
ＵＥ移動指令メッセージによって、前記レイヤ２リセット指示情報または同期再構成指示情報を前記ＤＵに送信することは、
ＵＥ移動指令メッセージにＲＲＣメッセージを付帯しない方式で、前記レイヤ２リセット指示情報または同期再構成指示情報を前記ＤＵに暗黙的に送信すること、または、
切り替え先セルが現在のサービングセルであることをＵＥ移動指令メッセージで明示的に示す方式で、前記レイヤ２リセット指示情報または同期再構成指示情報を前記ＤＵに送信することを含む、請求項２に記載の方法。
【請求項５】
前記ＤＵから送信される応答メッセージを受信することは、
前記ＤＵから送信される同期構成パラメータ情報を受信することを含み、
前記ＤＵから送信される同期構成パラメータ情報を受信することは、
前記ＤＵからＲＲＣコンテナ方式で送信される前記同期構成パラメータ情報を受信することを含み、
前記同期構成パラメータ情報は、同期用の専用アクセスリソース情報および／または新規目標リソースでのユーザＩＤを含む、請求項２に記載の方法。
【請求項６】
前記応答メッセージには、前記ＤＵから各ＤＲＢ（Ｄａｔａ  Ｒａｄｉｏ  Ｂｅａｒｅｒ）に新たに割り当てたダウンリンク伝送アドレスが付帯されており、
レイヤ２リセット指示情報または同期再構成指示情報を前記ＤＵに送信した後に、
前記ＵＥから受信したすべてのＤＲＢでのアップリンクＰＤＣＰ  ＰＤＵデータを前記ＤＵから受信し、前記ＤＵから送信されるダウンリンク伝送状態情報またはほかの新規データの伝送を要求する指示情報を受信することをさらに含み、
前記ＤＵから送信されるダウンリンク伝送状態情報またはほかの新規データの伝送を要求する指示情報を受信した後に、
すべてのＤＲＢに対し新規キーをイネーブルにして暗号化及び復号を行うこと、または、
前記ＤＵからの応答メッセージに基づき、すべてのＤＲＢに対し新規キーをイネーブルにして暗号化及び復号を行うこと、または、
前記ＵＥからのＰＤＣＰ状態報告情報に基づき、すべてのＤＲＢに対し新規キーをイネーブルにして暗号化及び復号を行うこと、または、
前記ＵＥからのＲＲＣ再構成完了メッセージに基づき、すべてのＤＲＢに対し新規キーをイネーブルにして暗号化及び復号を行うこと、または、
前記レイヤ２リセット指示情報または同期再構成指示情報の送信後にイネーブルにされたローカルタイマがタイムオーバーになると、すべてのＤＲＢに対し新規キーをイネーブルにして暗号化及び復号を行うことをさらに含む、請求項２に記載の方法。
【請求項７】
前記ダウンリンク伝送状態情報は、古いデータ伝送終了指示情報を含み、
前記ＤＵから送信されるダウンリンク伝送状態情報またはほかの新規データの伝送を要求する指示情報を受信した後に、
任意の１つのＤＲＢのダウンリンク伝送状態情報またはほかの新規データの伝送を要求する指示情報に基づき、すべてのＳＲＢ（Ｓｉｇｎａｌｉｎｇ  Ｒａｄｉｏ  Ｂｅａｒｅｒ）に対し新規キーをイネーブルにして暗号化及び復号を行うこと、または、
前記ＤＵからの応答メッセージに基づき、すべてのＳＲＢに対し新規キーをイネーブルにして暗号化及び復号を行うこと、または、
前記レイヤ２リセット指示情報または同期再構成指示情報の送信後にイネーブルにされたローカルタイマがタイムオーバーになると、すべてのＳＲＢに対し新規キーをイネーブルにして暗号化及び復号を行うことをさらに含む、請求項６に記載の方法。
【請求項８】
前記ＵＥによる対応な処理は、レイヤ２リセット処理またはすべてのベアラに対応する論理チャネルの再構築処理である、請求項２〜７のいずれか一項に記載の方法。
【請求項９】
前記チャネル再構築指示情報は、論理チャネル再構築が必要なベアラを指示し、前記論理チャネル再構築が必要なベアラに対し論理チャネル再構築処理を実行するよう前記ＤＵに指示することに用いられる、請求項１に記載の方法。
【請求項１０】
チャネル再構築指示情報をＤＵに送信することは、
ＵＥコンテキスト修正メッセージの１つの明示的な指示ビットによって、前記チャネル再構築指示情報を前記ＤＵに送信すること、または、
ＵＥコンテキスト修正メッセージでＤＲＢを追加または削除する方式で、前記チャネル再構築指示情報を前記ＤＵに暗黙的に送信することを含む、請求項９に記載の方法。
【請求項１１】
前記ＤＵから送信される応答メッセージを受信することは、
前記ＤＵから送信される新規の論理チャネルＩＤ情報を受信することを含み、
前記ＤＵから送信される新規の論理チャネルＩＤ情報を受信することは、
前記ＤＵからＲＲＣコンテナ方式で送信される前記新規の論理チャネルＩＤ情報を受信することを含む、請求項９に記載の方法。
【請求項１２】
前記応答メッセージには、前記ＤＵから前記論理チャネル再構築が必要なベアラに対し新たに割り当てたダウンリンク伝送アドレスが付帯されており、
チャネル再構築指示情報をＤＵに送信した後に、
前記ＵＥから受信した前記論理チャネル再構築が必要なベアラでのアップリンクＰＤＣＰ  ＰＤＵデータを前記ＤＵから受信し、前記ＤＵから送信されるダウンリンク伝送状態情報またはほかの新規データの伝送を要求する指示情報を受信することをさらに含み、
前記ＤＵから送信されるダウンリンク伝送状態情報またはほかの新規データの伝送を要求する指示情報を受信した後に、
前記アップリンクＰＤＣＰ  ＰＤＵデータに対応するＰＤＵを処理することをさらに含み、
前記ダウンリンク伝送状態情報は、古いデータ伝送終了指示情報を含み、
前記ＵＥによる対応な処理は、前記論理チャネル再構築が必要なベアラに対応する論理チャネルの再構築処理である、請求項９に記載の方法。
【請求項１３】
ＤＵに応用されるレイヤ２処理方法において、
ＣＵから送信されるチャネル再構築指示情報を受信することと、
前記ＣＵに応答メッセージを送信することとを含み、
前記ＣＵは、前記応答メッセージに基づき、ＲＲＣ再構成メッセージを生成し、前記ＲＲＣ再構成メッセージをＵＥに送信し、前記ＵＥによって対応な処理が行われる、レイヤ２処理方法。
【請求項１４】
有線インタフェースと、トランシーバと、メモリと、プロセッサと、前記メモリに記憶されて前記プロセッサで実行可能なコンピュータプログラムを含むＣＵであって、
前記有線インタフェースは、チャネル再構築指示情報をＤＵに送信し、前記ＤＵから送信される応答メッセージを受信することに用いられ、
前記プロセッサは、前記メモリからプログラムを読み取ることによって、前記応答メッセージに基づいてＲＲＣ再構成メッセージを生成するプロセスを実行することに用いられ、
前記トランシーバは、前記ＲＲＣ再構成メッセージをＵＥに送信することに用いられ、前記ＵＥによって対応な処理が行われる、ＣＵ。
【請求項１５】
有線インタフェースと、トランシーバと、メモリと、プロセッサと、前記メモリに記憶されて前記プロセッサで実行可能なコンピュータプログラムを含むＤＵであって、
前記有線インタフェースは、ＣＵから送信されるチャネル再構築指示情報を受信し、前記ＣＵに応答メッセージを送信することに用いられ、
前記ＣＵは、前記応答メッセージに基づき、ＲＲＣ再構成メッセージを生成し、前記ＲＲＣ再構成メッセージをＵＥに送信し、前記ＵＥによって対応な処理が行われる、ＤＵ。